(57)【要約】【課題】本発明の目的は、本編と子画面を同期して表示するＰｉｎＰ（Ｐｉｃｔｕｒｅ  ｉｎ  Ｐｉｃｔｕｒｅ）画面において、視聴者が目的に応じて視聴内容を選択するのに好適な再生装置を提供することを目的とする。【解決手段】ディスク１１５に含まれる第一のストリームで表示されない部分は、ネットワーク接続部１１２がネットワーク２００を経由してサーバ２０１から第二のストリームとして受け取り、第一のストリームと重畳した映像を表示し、音声も第一のストリームと重畳して出力する。【選択図】 図１
2007096380.tif 000002
【特許請求の範囲】
【請求項１】
記録媒体から、一部が欠けている第１の映像ストリームを読み出す読み出し手段と、
ネットワークを介してサーバと接続し、該サーバから、該第１の映像ストリームの欠けている一部を補う第２の映像ストリームを受信する接続手段と、
該第１の映像ストリームおよび第２の映像ストリームを再生する再生手段と、
該第２の映像ストリームを用いず該第１の映像ストリームの該欠けている一部を欠けたままで、該第１の映像ストリームを再生する第１の再生と、該第２の映像ストリームを用いて該第１の映像ストリームの該欠けている一部を補うように、該第１及び第２の映像ストリームを再生する第２の再生をするように該再生手段を制御する制御手段と、
を備えることを特徴とする再生装置。
【請求項２】
請求項１において、
前記一部が欠けている第１の映像ストリームは、前記第１の再生において画面の一部が欠けている映像ストリームであり、
前記第１の映像ストリームの欠けている一部を補う第２の映像ストリームは、該画面の一部を補う映像ストリームであること、
を特徴とする再生装置。
【請求項３】
請求項１において、
前記一部が欠けている第１の映像ストリームは、前記第１の再生において画面の高解像度成分が欠けている映像ストリームであり、前記第１の再生は低解像度の再生であり、
前記第１の映像ストリームの欠けている一部を補う第２の映像ストリームは、該高解像度成分であり、前記第２の再生は高解像度の再生であること、
を特徴とする再生装置。
【請求項４】
請求項１ないし３のいずれかにおいて、
前記制御手段は、前記接続手段が前記サーバから前記第２の映像ストリームを受信するときに、前記第２の映像ストリームに関するユーザの視聴条件を前記サーバが判定する際に用いる視聴条件判定情報を、前記接続手段およびネットワークを介して前記サーバに送信すること、
を特徴とする再生装置。
【請求項５】
請求項４において、
前記視聴条件判定情報は、前記ユーザの年齢または支払能力を含み、
前記サーバは、該ユーザの年齢または支払能力が所定条件を満たさないとき、前記第２の映像ストリームを送信しないこと、
を特徴とする再生装置。
【請求項６】
請求項４において、
前記読み出し手段は、前記記録媒体から前記記録媒体に固有のＩＤを読み取り、
前記視聴条件判定情報は、該ＩＤを含み、
前記サーバは、該ＩＤが所定条件を満たさないとき、前記第２の映像ストリームを送信しないこと、
を特徴とする再生装置。
【請求項７】
請求項６において、
前記ＩＤは、前記記録媒体が販売される地域ごとに異なる地域コードが含まれており、
前記サーバは、前記ＩＤに含まれる該地域コードを用いて、前記第２の映像ストリームを送信するか判定すること、
を特徴とする再生装置。
【請求項８】
請求項４において、
前記読み出し手段は、前記記録媒体から前記記録媒体に固有のＩＤを読み取り、
前記視聴条件判定情報は、該ＩＤを含み、
前記サーバは、前記第２の映像ストリームとして複数の映像ストリームを有しており、
該ＩＤが満たす条件により該複数の映像ストリームのうち１つを選択し、該選択した映像ストリームを前記第２の映像ストリームとして送信すること、
を特徴とする再生装置。
【請求項９】
請求項８において、
前記サーバは、前記ＩＤを受信して前記第２の映像ストリームを送信した回数に応じて、前記複数の映像ストリームのうち１つを選択し、該選択した映像ストリームを前記第２の映像ストリームとして送信すること、
を特徴とする再生装置。
【請求項１０】
請求項１ないし９のいずれかにおいて、
前記サーバは、前記第２の映像ストリームとして複数の映像ストリームを有しており、日時に応じて該複数の映像ストリームのうち１つを選択し、該選択した映像ストリームを前記第２の映像ストリームとして送信すること、
を特徴とする再生装置。
【請求項１１】
読出しのみが可能な記録媒体を読み出すドライブ部と、
前記ドライブ部から第一のストリームを受け取り、第一の映像ストリームと第一の音声ストリームに分離する第一のパケット分離部と、
前記第一のパケット分離部から第一の映像ストリームを受け取り、デコード処理を行い第一の映像信号を出力する第一のビデオエンコーダと、
前記第一のパケット分離部から第一の音声ストリームを受け取り、デコード処理を行い第一の音声信号を出力する第一のオーディオエンコーダと、
ネットワークから第二のストリームを受け取るネットワーク接続部と、
前記第二のストリームを記録する記録媒体と、
前記記録媒体に格納された第二のストリームを読み出す記録媒体Ｉ／Ｏ部と、
前記読み出し部から第二のストリームを受け取り、第二の映像ストリームと第二の音声ストリームに分離する第二のパケット分離部と、
前記第二のパケット分離部から第二の映像ストリームを受け取り、デコード処理を行い第二の映像信号を出力する第二のビデオエンコーダと、
前記第二のパケット分離部から第二の音声ストリームを受け取り、デコード処理を行い第二の音声信号を出力する第二のオーディオエンコーダと、
前記第一の映像信号と、前記第二の映像信号を受け取り、後述するシステム制御部の制御に基づき重畳した第三の映像信号を出力するグラフィックス表示部と、
前記第一の音声信号と、前記第二の音声信号を受け取り、後述するシステム制御部の制御に基づき重畳した第三の音声信号を出力するオーディオミキシング部と、
前述の各部を制御するシステム制御部からなり、
前記システム制御部は、前記第一の映像信号で表示されない部分を前記ネットワーク接続部に接続されたサーバにアクセスし、前記サーバから要求される認証を視聴者が行い、前記サーバに認証された場合に前記サーバから送信される第二のストリームを受け取り、第一のストリームと映像、音声を重畳した第三の映像信号、第三の音声信号を出力することを特徴とした再生装置。
【請求項１２】
前記サーバは、前記ネットワーク接続部から第二のストリームを送信する際、第一のストリームで表示されない部分を分割し、一部分だけを送信することを特徴とした請求項１１に記載の再生装置。
【請求項１３】
前記サーバは、解像度の異なる第二のストリームを複数持ち、前記ネットワーク接続部の要求に応じて第二のストリームを選択し出力することを特徴とした請求項１１に記載の再生装置。
【請求項１４】
前記サーバは、前記ネットワーク接続部から第二のストリームを要求された際、送信する第二のストリームに応じて視聴者に課金することを特徴とした請求項１３に記載の再生装置。
【請求項１５】
前記サーバは、内容の異なる第二のストリームを複数持ち、前記ネットワーク接続部から送信される第一のストリームの再生回数に応じて、第二のストリームを選択し出力することを特徴とした請求項１１に記載の再生装置。
【請求項１６】
請求項１５に記載の再生装置において、前記サーバは、前記ネットワーク接続部から送信される第一のストリームの再生日時に応じて、第二のストリームを選択し出力することを特徴とする再生装置。
【請求項１７】
請求項１１に記載の再生装置において、前記第二のストリームは、視聴者の操作に応じて第一のストリームの一部を隠蔽するように表示することを特徴とする再生装置。
【請求項１８】
請求項１１に記載の再生装置において、前記第二のストリームは、視聴者の操作に応じて第一のストリームの音声の一部を消音することを特徴とする再生装置。
【発明の詳細な説明】
【技術分野】
【０００１】
本発明は、映像を再生する再生装置に関するものである。
【背景技術】
【０００２】
本技術分野の背景技術として、例えば、特開平８−１１１８３２号公報（特許文献１）がある。該公報には、目的として「字幕情報の移動設定を容易に行うことができるテレビジョン受像機を提供する。」と記載され、構成として「ＰｉｎＰ機能で表示される子画面４１に、字幕情報４２のある映像信号の画面を元のアスペクト比をほぼ保持して表示し、子画面４１に字幕情報４２の移動設定を行うカーソル線４４を表示して、字幕情報４２をこのカーソル線４４で指定した位置に移動させて親画面４０に表示させる。」と記載されている。
【０００３】
また、他の背景技術として、例えば、特開２００１−３４６１２６号公報（特許文献２）がある。該公報には、課題として「ネットワークを利用して送信されてきた画像を家庭用テレビ受像機で表示する際、画像の大きさをテレビ受像機の表示画面に最適な大きさになるよう調整する。」と記載され、解決手段として「ネットワーク１１を介して送信された画像信号を受信機１２で受信し、受信した画像信号を信号変換器１３でビデオ信号に変換してテレビ受像機１４に表示する。表示された画像を画像サイズ調整器１５で拡大または縮小して、テレビ受像機１４の表示画面に合わせて自由に調整する。」と記載されている。
【０００４】
【特許文献１】特開平８−１１１８３２号公報
【特許文献２】特開２００１−３４６１２６号公報
【発明の開示】
【発明が解決しようとする課題】
【０００５】
次世代記録メディアとして、ＢＤ（Ｂｌｕ−ｒａｙ  Ｄｉｓｋ）、ＨＤ  ＤＶＤ（Ｈｉｇｈ  Ｄｅｆｉｎｉｔｉｏｎ  ＤＶＤ）の規格策定が進められている。これらのメディアは従来のＤＶＤと異なり、映像の解像度の高さだけでなく、ネットワークを利用したサービスも考慮されている。また、２つの映像を重畳して表示するＰｉＰ（Ｐｉｃｔｕｒｅ  ｉｎ  Ｐｉｃｔｕｒｅ）にも対応し、本編の映像に同期して子画面で別の映像を再生できるよう規格化されている。ＰｉＰに用いる子画面はディスクに直接記録したものを再生するだけでなく、ネットワーク経由で映像をダウンロードして再生することができる。ネットワークを用いることにより、従来コンテンツの追加／変更が不可能だったパッケージメディアにおいてもサービスを継続することが可能になる。
【０００６】
従来のＤＶＤでは、暴力シーンや教育上好ましくないシーンを再生装置の設定により視聴制限を行うパレンタルロック機能がある。しかしパレンタルロック機能は再生装置単体に対する設定であるため、解除も容易でありセキュリティ上問題がある。
【０００７】
しかし、次世代記録メディアでは、ネットワークを用いて追加の映像を子画面に表示し、メディアの映像と同期して出力する機能の規格化検討が行われているが、この機能を用いて、販売する記録メディアには画面の一部分を表示しないように記録し、欠けている部分をネットワークから取得し、本編の映像にはめ込むことで完全な映像を表示できるようなサービスを提供することまでは考慮されていない。欠けている部分をネットワーク越しに受けとることで、不足映像取得に要する認証をインターネット越しに行うことが可能になり、より確実な本人確認が可能になる。また、記録メディアには一部が欠けた映像を記録するので、全てを記録する場合と対比し、長時間の記録が可能となる。さらには取得する映像を複数用意し、高い解像度では追加で課金するなどパッケージ販売後も収入を得るサービスを行うことが可能になる。また、記録メディアに収録されている映像の一部を、視聴者が意図的に隠したい場合、子画面部分を用いて映像を隠蔽できる。
【０００８】
ところが、特許文献１に示された技術を用いて上記機能を実現する場合、ＰｉｎＰが行われた子画面の位置を視聴者がその都度指定する必要があり、子画面が画面内を動く場合に、毎フレームの位置を合わせることが困難である。特許文献２に示された技術には、本編の映像とネットワークから取得した映像を同期することができない。
【０００９】
そこで、本編と子画面を同期して表示するＰｉｎＰ画面において、視聴者が目的に応じて視聴内容を選択するのに好適な再生装置が重要である。
【００１０】
本発明は、再生装置の使い勝手向上を目的とする。
【課題を解決するための手段】
【００１１】
上記目的は、特許請求の範囲に記載の発明により、達成される。
【発明の効果】
【００１２】
本発明によれば、再生装置の使い勝手が向上する。
【発明を実施するための最良の形態】
【００１３】
以下、本発明の実施形態を図面を用いて説明する。
【実施例１】
【００１４】
図１に本発明の第一の実施例を構成する再生装置を示す。再生装置１００は、ドライブ部１０１、記録媒体１１４、記録媒体Ｉ／Ｏ部１０３、第一のパケット分離部１０２、第二のパケット分離部１０４、第一のビデオデコーダ１０５、第二のビデオデコーダ１０７、第一のオーディオデコーダ１０６、第二のオーディオデコーダ１０８、グラフィックス表示部１０９、オーディオミキシング部１１０、ネットワーク接続部１１２、システム制御部１１３からなる。
【００１５】
ディスク１１５から本編のストリームを読み込み、サーバ２０１からネットワーク２００を経由して子画面のストリームを読み、重畳してディスプレイ３００とスピーカ３０１から出力するときの信号の流れを説明する。ドライブ部１０１はディスク１１５からストリームを読み出し、第一のパケット分離部１０２に出力する。第一のパケット分離部１０２はストリームを映像ストリームと音声ストリームに分離する。第一のビデオデコーダ１０５は映像ストリームをデコードし映像信号を出力する。第一のオーディオデコーダ１０６は音声ストリームをデコードし音声信号を出力する。ネットワーク接続部１１２は、システム制御部１１３からバス１１１を通じて制御信号を受け取り、ネットワーク２００を経由してサーバ２０１にアクセスする。サーバ２０１は再生装置１００に対し、子画面のストリームを送信する。ネットワーク接続部１１２は子画面のストリームを受け取り、バス１１１、記録媒体Ｉ／Ｏ部１０３を経由して記録媒体１１４に書き込みを行う。第二のパケット分離部１０４は記録媒体Ｉ／Ｏ部１０３から子画面のストリームを読み出し、映像ストリームと音声ストリームに分離する。第二のビデオデコーダ１０７は映像ストリームをデコードし映像信号を出力する。第二のオーディオデコーダ１０８は音声ストリームをデコードし音声信号を出力する。グラフィックス表示部１０９は第一のビデオデコーダ１０５と第二のビデオデコーダ１０７が出力する映像信号を受け取り、システム制御部１１３の制御により２つの画面を重畳する。オーディオミキシング部１１０は第一のオーディオデコーダ１０６と第二のオーディオデコーダ１０８が出力する音声信号を受け取り、システム制御部１１３の制御により音声を重畳する。重畳された映像および音声はディスプレイ３００およびスピーカ３０１から出力される。なお、ここでは、本編のストリームと子画面のストリームの双方を重畳して出力することを説明したが、本編のストリームは単独でも出力することができる。これは通常の再生と同様であるので詳細な説明を省略する。
【００１６】
次に図２を用いて本編のストリームと子画面のストリームを同期して再生するための方法を説明する。図２において、ストリーム４００は本編のストリーム、ストリーム４５０は子画面のストリームを示す。ストリーム４００を構成するフォーマットとしてＴＳ（Ｔｒａｎｓｐｏｒｔ  Ｓｔｒｅａｍ）があげられる。ストリーム４００は固定長のヘッダ４０１とパケット４０２からなり、ヘッダ４０１にはパケット４０１に含まれるストリームのフォーマット、例えばＭＰＥＧ−２やＭＰＥＧ−４、ＡＶＣ等の情報やパケット４０２を表示する時刻ＰＴＳ（Ｐｒｅｓｅｎｔａｔｉｏｎ  Ｔｉｍｅ  Ｓｔａｍｐ）等が含まれる。ストリーム４５０も同様の構成を持つが、ヘッダに子画面の出力位置の情報が含まれる。パケット分離部１０２および１０４はヘッダに含まれるＰＴＳを用いて出力タイミングを制御することで本編と子画面のストリームが同期して出力されるように制御を行う。
サーバ２０１から子画面のストリームを受け取る際、認証を行い視聴者を制限してもよい。
【００１７】
図３を用いて認証の手順を説明する。ユーザは子画面の表示を再生装置１００に対して行う（Ｓ１００）。再生装置１００は子画面のストリームをサーバ２０１に対して送信するよう問い合わせを行う（Ｓ１０１）。サーバ２０１は子画面のストリームに配信の制限がかかっている場合、再生装置１００を通じて視聴者にパスワードを入力するよう促す（Ｓ１０２）。視聴者は再生装置１００を通じてパスワードを返す（Ｓ１０３）。サーバ２０１はパスワードを受け取り、照合を行う。照合の結果、認証された場合は子画面のストリームを送信する（Ｓ１０４）。再生装置１００は子画面のストリームを受け取り、本編と重畳して出力を行う（Ｓ１０５）。上記の例ではユーザの認証にパスワードを用いたが、異なる認証方法、例えば認証用のカード番号や、指紋認証、虹彩認証と言ったバイオメトリクスによる認証を行ってもよい。
【００１８】
上記の構成、制御を行うことで、図４〜図７に示す画面制御を行うことが可能になる。
【００１９】
図４は本編に含まれる映像であり、画面右側部分には範囲５００があり、画面の一部が隠蔽されている。範囲５００はある人物を隠蔽しており、画面内で人物が移動すると、移動に合わせて範囲５００も移動する。認証を行うと図５のように範囲５００を埋めるよう、子画面の映像が補完され、人物を含む全部の映像を見ることができる。従来のＤＶＤでも再生装置の設定により画面の一部を隠蔽、もしくは差し替えることができたが、本実施例のようにネットワークを介して認証を行うことで、確度の高い認証が可能になり、情報隠蔽の信頼性が向上する。また、図６のように認証によっては画面の一部だけを表示し、範囲５０１を残すようにしてもよい。また、図７のように範囲５０２の解像度を落とした状態で表示するようにしてもよい。図６や図７のように認証により子画面部分の映像を段階的に出力することで、より柔軟な映像資産の管理が可能になる。
【００２０】
上記の例では、認証できた場合に子画面のストリームを表示するとしたが、認証を行う代わりにサーバ２０１で課金を行った上で子画面のストリームを配信するようにしてもよい。課金により、表示される範囲や解像度を変えることで、視聴者が必要とする映像品質に応じた対応が可能になる。
【００２１】
また、上記の認証は、パスワード以外にもユーザの年齢や支払能力を用いることもできる。すなわち、子画面ストリームの視聴に対して年齢制限をし、サーバ２０１においてユーザが年齢制限に違反しないかを判定することができる。この際、パスワードと同様に、ユーザが再生装置１００を通じて年齢を入力してサーバに送信することも可能だが、より好適には認証用のカードに所定の手続きによって年齢情報を記憶しておき、これをサーバに送信することが望ましい。これにより、確度の高い年齢制限が実現可能となる。また、課金の際には、クレジットカードのネットワークにおける認証などにより、ユーザが支払能力を有するか否かをサーバが判定するようにすることができる。このようにすれば、有料コンテンツに対する課金について、支払いの遅延や不払いを防止することができる。
【実施例２】
【００２２】
図８を用いて本発明の第二の実施例を説明する。再生装置１００の構成は実施例１と同様であるため説明を省略する。本実施例では、視聴者が本編の再生を行う（Ｓ２００）と、再生装置に含まれるシステム制御部１１３は本編の再生回数をサーバ２０１に送信する（Ｓ２０１）。サーバは、複数の子画面ストリームを有しており、再生回数を受け取ると、回数に応じた子画面を再生装置１００に送信する（Ｓ２０３）。再生装置１００は子画面のストリームと本編の映像を重畳して再生を行う（Ｓ２０４）。
【００２３】
上記の制御を行うことで、再生するたびに映像内容が変化するように本編を構成できるようになる。例えば図９に示すように、ビルの上の広告画面部分を再生回数により変化させることで宣伝効果を得ることができる。
【００２４】
上記の例では、再生回数をサーバ２０１に送信するとしたが、再生日時をサーバ２０１に送信するようにしてもよい。あるいはサーバが有する時計により取得する日時に応じて送信する子画面ストリームを選択しても良い。再生日時により最適な映像をサーバ２０１で用意することで、時期に応じた宣伝を表示させることができる。
【００２５】
また、再生装置１００ではなくサーバ２０１で再生回数を記憶するようにしてもよい。この場合、記録媒体に固有のＩＤをサーバ２０１に送信し、サーバ２０１がこれを受信して子画面ストリームを送信した回数を記憶しておくようにする。このようにすると、サーバ２０１において、各コンテンツの再生回数を把握することができるメリットがある。
【００２６】
また、記録媒体に固有のＩＤには、その記録媒体が販売される地域を示す地域コードを含むようにし、サーバ２０１は、この地域コードを用いて、子画面ストリームを送信するか否かを判定するようにもできる。この場合、再生装置１００はＩＤとともに、設置されている地域をあらわす情報をサーバ２０１に送信し、サーバ２０１は、ＩＤに含まれる地域コードと受信した再生装置１００の設置されている地域をあらわす情報から、子画面ストリームを送信するか否かを判定する。
【実施例３】
【００２７】
図１０を用いて本発明の第三の実施例を示す。再生装置１００の構成は実施例１と同様であるため説明を省略する。本実施例では、視聴者が本編の映像の一部を積極的に視聴したくないときに利用する方法を説明する。図１０に示すように本編がクイズ番組内容で、正解を先に視聴者に表示する場合、視聴者によっては内容を知りたくない場合がある。この場合は子画面を表示させ、範囲５０４を表示させないようにする。また、音声も本編の音声を打ち消すような音声を子画面ストリームに重畳し、出力を行ってもよい。
【００２８】
上記の構成では子画面のストリームをサーバ２０１から得るようになっているが、本実施例では、子画面のストリームがディスク１１５に含まれており、サーバ２０１にアクセスしない構成であってもよい。この構成の場合、図示しない再生装置にはネットワーク接続部１１２は含まれない。
【００２９】
上記の構成により、視聴者により最適な映像を視聴できるようになる。
【実施例４】
【００３０】
図１１に本発明の第四の実施例を構成する再生装置を示す。図１１において、図１と同一部分については同一番号を割り当て、説明を省略する。ビデオデコーダ１２０はパケット分離部１０２およびパケット分離部１０４から映像ストリームを受け取り、これをデコードして映像信号を出力する。オーディオデコーダ１２１はパケット分離部１０２およびパケット分離部１０４から音声ストリームを受け取り、これをデコードして音声信号を出力する。このとき、パケット分離部１０２が出力する映像ストリームは映像の低周波部分を持ち、パケット分離部１０４が出力する映像ストリームは同一の映像の高周波成分を持つ。図１２にそれぞれのストリームの周波数の例を示す。同図において、周波数帯域６００はパケット分離部１０２が出力したものであり、周波数帯域６１０はパケット分離部１０４が出力したものである。このように周波数帯域を分割する映像符号化の例として、ＭＰＥＧ−２における空間スケーラビリティが挙げられる。
【００３１】
上記の構成とすることで、ディスク１１５に低解像度かつ低ビットレートの映像を記録し、通常のビットレートで保存した場合よりも長時間の記録を行うことが可能になる。ユーザの希望によっては、サーバ２０１に保存されている高周波成分の情報を重畳して高解像度の映像を視聴する利便性が得られる。
【図面の簡単な説明】
【００３２】
【図１】本発明の第一の実施例を示す構成図である。
【図２】ストリームの構成を示す図である。
【図３】子画面のストリームを得るためのシーケンス図である。
【図４】本編ストリームの映像である。
【図５】本編ストリームと子画面のストリームを重畳した映像である。
【図６】本編ストリームと子画面のストリームを重畳した映像である。
【図７】本編ストリームと子画面のストリームを重畳した映像である。
【図８】本発明の第二の実施例におけるシーケンス図である。
【図９】本発明の第二の実施例における本編ストリーム映像である。
【図１０】本発明の第三の実施例における再生映像である。
【図１１】本発明の第四の実施例における再生映像である。
【図１２】本発明の第四の実施例における周波数の例である。
【符号の説明】
【００３３】
１００ … 再生装置
１０１ … ドライブ部
１０２ … 第一のパケット分離部
１０３ … 記録媒体Ｉ／Ｏ部
１０４ … 第二のパケット分離部
１０５ … 第一のビデオデコーダ
１０６ … 第一のオーディオデコーダ
１０７ … 第二のビデオデコーダ
１０８ … 第二のオーディオデコーダ
１０９ … グラフィックス表示部
１１０ … オーディオミキシング部
１１１ … バス
１１２ … ネットワーク接続部
１１３ … システム制御部
１１４ … 記録媒体
１１５ … ディスク
２００ … ネットワーク
２０１ … サーバ
３００ … ディスプレイ
３０１ … スピーカ
４００ … ストリーム
４０１ … ヘッダ
４０２ … パケット
【図１】
2007096380.tif 000003
【図２】
2007096380.tif 000004
【図３】
2007096380.tif 000005
【図４】
2007096380.tif 000006
【図５】
2007096380.tif 000007
【図６】
2007096380.tif 000008
【図７】
2007096380.tif 000009
【図８】
2007096380.tif 000010
【図９】
2007096380.tif 000011
【図１０】
2007096380.tif 000012
【図１１】
2007096380.tif 000013
【図１２】
2007096380.tif 000014